(57)【要約】【課題】少ない数のブロックで海水の湧昇効果と漁礁効果を高めることが可能な人工海底山脈を構築することが可能な人工海底山脈を提供する。【解決手段】海底に石材やブロックを円錐体に積み上げた人工海底山脈１であって、海水の流れ方向の投影面積Ｓ１が流れに直交する方向の投影面積Ｓ２より大きい構成とする。流れ方向の投影面積を大きくすることで海水の湧昇効果と漁礁効果を高め、流れに直交する方向の投影面積を小さくすることで人工海底山脈を構築するブロック数を低減し、構築作業を簡略化する。【選択図】  図１
2014054186.tif 000002
【特許請求の範囲】
【請求項１】
海底に石材やブロックを円錐体に積み上げた人工海底山脈であって、海水の流れ方向の投影面積が流れに直交する方向の投影面積より大きいことを特徴とする人工海底山脈。
【請求項２】
前記円錐体は底面形状が、前記海水の流れ方向に短軸を向け、流れと直交する方向に長軸を向けた楕円ないし長円形状であることを特徴とする請求項１に記載の人工海底山脈。
【請求項３】
ほぼ真円錐体に形成されている人工海底山脈に、海水の流れに直交する方向に沿って当該人工海底山脈の頂点ないし少なくとも一部の稜線にブロックが積み増しされていることを特徴とする請求項１に記載の人工海底山脈。
【請求項４】
請求項１ないし３のいずれかに記載の人工海底山脈が海水の流れに直交する方向に複数連続して直線配置されていることを特徴とする人工海底山脈。
【発明の詳細な説明】
【技術分野】
【０００１】
本発明は海底にブロックを積み上げて製造する人工海底山脈に関し、特に少ないブロック数で海水の湧昇効果と魚礁効果を高めることが可能な人工海底山脈に関するものである。
【背景技術】
【０００２】
近年、海底に人工海底山脈を構築して潮流や海流などの流れを利用して補償深度以深の海水に豊富に含まれる栄養塩類を、植物プランクトンが太陽光を利用して増殖できる海の表層に添加し、食物連鎖の源となる植物プランクトンを増殖することを目的とした技術が提案されている。このような人工海底山脈においては海水の流れ方向の投影面積、すなわち流れに直交する方向の断面積を大きくすることが好ましい。従来の人工海底山脈は、例えば海上の底開バージ船からその場の潮汐流や海流の流向、流速を考慮して所定位置を中心に石材やブロックが海底に着床するように繰り返し投下する方法で施工されてきた。海底の所定位置に石材やブロックが着床するように投下すると、石材やブロックは自然に散乱して海底で円を形成し、円の中心を頂点として次第に積み上がる。こうして海底に積み上がった海底山脈は、山頂が最も高く周辺が徐々に低くなる円錐体のような分布になる。
【０００３】
しかし、水深が深くなるほど石材やブロックの落下時間が長くなり、落下中の散乱に加えて潮流などの流れの影響をより長時間受けて散乱幅が広がるので大水深域では人工海底山脈の底面積は拡大し総体積も増大する。円錐体の頂点を目標に投下された石材やブロックは底面の円の中で斜面の傾斜角が安息角になるまで高さを増す。すなわち、円錐体上に広範囲に散乱し着床した石材やブロックは斜面上を転落し海底面に達し底面積を広げる。その後、拡大した底面の上で斜面を被覆しながら積み上がり安息角に達するまで高さを増す。このように海面から石材やブロックを投下して形成される人工海底山脈の底面形状は自然の散乱により円形となり立体的には円錐体になることが従来の事業で実証されている。
【０００４】
人工海底山脈におけるブロック効率（石材やブロック数に対する人工海底山脈の高さ）を向上するには、設計高さを確保しながら総体積を削減する必要があり、そのためには石材やブロックの散乱幅を低減し円錐体の底面積を小さくすることが考えられる。したがって底開バージから石材やブロックを投下する際に同時に投下する数量を減らし落下開始点での海上での範囲を狭めたり、船底を開く速度を調節したり開口幅を段階的に広げたりして海底面での散乱幅を低減する工夫が行われてきた。しかし、石材やブロック群の落下時の自然な散乱を制御するのは難しいため、従来の人工海底山脈は流れを遮る方向に円錐体を重複して配置する構造になっており、特許文献１のように山頂の峰部を水平に連続させたり、特許文献２のように峰の両端に峰よりやや高い円錐体を配置したり、特許文献３のように３つ以上の円錐体を重複して直線配置してきた。
【先行技術文献】
【特許文献】
【０００５】
【特許文献１】特許第２６０７９７９号公報
【特許文献２】特許第２９９２９４０号公報
【特許文献３】特許第４６３３８４８号公報
【発明の概要】
【発明が解決しようとする課題】
【０００６】
人工海底山脈として、全部もしくは基礎部分が天然の石材で構築される人工海底山脈が提案されている。しかし、石材で構築された人工海底山脈の表面は石材相互間にできる空間が小さく、魚介類が外敵から隠れたり休憩したりする空間が少ないため魚礁効果が劣ると言われていた。また、大量の石材の利用は天然資源の乱開発に繋がり、採石に伴う植物の伐採による陸上生態系の破壊や炭酸ガス吸収源の喪失懸念があり、環境保護の観点から石材の使用が抑えられるようになった。一方、ブロックはリサイクルの促進に繋がり、海底に様々な大きさの空間をつくり良好な岩礁性生態系を創出し魚礁効果が高いことが実証されてきた。これらの理由からブロックで人工海底山脈を構築することが検討されている。しかし、特許文献１，２，３の人工海底山脈は、所望とする湧昇効果、魚礁効果を得るために、複数の円錐体を配列して流れ方向の投影面積を大きくしているので大量のブロックが必要となり経済的ではなかった。そのため、人工海底山脈の大規模化に伴いさらに合理的かつ経済的に湧昇機能、魚礁機能が得られる構造が求められている。
【０００７】
本発明の目的は、少ない数のブロックで海水の湧昇効果と魚礁効果を高めることが可能な人工海底山脈を構築することが可能な人工海底山脈を提供するものである。
【課題を解決するための手段】
【０００８】
本発明は海底に石材やブロックを円錐体に積み上げた人工海底山脈であって、海水の流れ方向の投影面積が流れに直交する方向の投影面積より大きいことを特徴とする。本発明の好ましい形態としては、円錐体は底面形状が、前記海水の流れ方向に短軸を向け、流れと直交する方向に長軸を向けた楕円ないし長円形状である。また、本発明においては、ほぼ真円錐体に形成されている人工海底山脈に、海水の流れに直交する方向に沿って当該人工海底山脈の頂点ないし少なくとも一部の稜線にブロックが積み増しされた構成としてもよい。さらに、本発明は複数の円錐体を流れに直交する方向に複数連続した構成としてもよい。
【発明の効果】
【０００９】
本発明の人工海底山脈は、石材やブロックを円錐体に積み重ねて海水の流れ方向の投影面積が流れに直交する方向の投影面積より大きい構成であるので、少ない石材やブロック数で流れ方向の投影面積の大きな人工海底山脈が構築でき、海水の湧昇効果と魚礁効果を高めることができる。そのため、海水の湧昇効果と魚礁効果を高める一方で石材やブロックの積み上げ作業を簡略化できる。特に、本発明の人工海底山脈として、既設の円錐体をした人工海底山脈の海水の流れに直交する方向に沿って円錐体の頂点ないし少なくとも一部の稜線にブロックを積み増すことで海水の流れ方向の投影面積が流れに直交する方向の投影面積より大きい人工海底山脈として構築できるので、ブロックの積み上げ作業をさらに簡略化することができる
【図面の簡単な説明】
【００１０】
【図１】本発明の人工海底山脈の第１の実施形態の平面図、正面図、側面図。
【図２】人工海底山脈に用いるブロック群の連結状態を示す斜視図。
【図３】ブロックを落下する方法を説明する概略図。
【図４】本発明の人工海底山脈の第２の実施形態の平面図、正面図、側面図。
【図５】本発明の人工海底山脈の第３の実施形態の平面図、正面図、側面図。
【図６】第３の実施形態を正面から見た斜視図。
【発明を実施するための形態】
【００１１】
次に本発明の実施の形態を図面に基づいて説明する。図１（ａ）〜（ｃ）は本発明の第１の人工海底山脈の平面図、正面図、側面図である。この第１の人工海底山脈１は多数のブロックを海上から投下して海底に単一の円錐体として積み上げて形成したものであり、海水の湧昇効果および魚礁効果をより高くするために、海流や潮流のような海水の流れ方向の投影面積Ｓ１が流れに直交する方向の投影面積Ｓ２より大きい略円錐体として形成されている。すなわち、当該人工海底山脈１の平面形状は、図１（ａ）のように海水の流れの方向に短軸を向け、当該流れに直交する方向に長軸を向けた楕円形状、あるいはこれに近い長円形状に形成されている。そのため、この人工海底山脈では、図１（ｂ）の正面図として表される海水の流れ方向の投影面積（流れ方向と直交する方向の断面積）Ｓ１は、図１（ｃ）の側面図として表される流れに直交する方向の投影面積（流れ方向に沿った方向の断面積）Ｓ２よりも大きくされている。
【００１２】
このように、人工海底山脈１を海水の流れ方向の投影面積Ｓ１が流れに直交する投影面積Ｓ２より大きい円錐体として形成することにより、従来のように流れ方向の投影面積と流れと直交する方向の投影面積が同じ真円錐体の人工海底山脈に比較して、当該円錐体の底面の流れ方向に沿った長さが短くされた分だけ当該人工海底山脈１を積み上げるのに必要とされるブロック数を低減することができる。あるいは、同じブロック数で構成した人工海底山脈では真円錐体よりも流れ方向の投影面積を大きくすることができる。これにより、特に同じ流れ方向の投影面積の人工海底山脈を構築する際のブロックの数を低減して材料費の低減を図り、ブロックの投下作業に要する燃料費を低減し、さらには工期を短縮することができる。
【００１３】
この種の単一の円錐体からなる人工海底山脈では、大水深海域の表層と低層の密度が大きく異なる成層した流れ（成層流）の中では人工海底山脈によって内部波が発生するが、流れに対する人工海底山脈の高さが高いほどまた、流れに対する斜面の勾配が急なほど内部波の波高は高くなり、流れに対する人工海底山脈の幅が広いほど内部波の幅も広がり大きくなる。このように投影面積が大きいほど内部波の波高、波の幅も大きくなり湧昇効果が増大する傾向があるが、内部波の波長を決めるのは自然の流速が支配的である。一方、人工海底山脈の流れ方向の奥行きは内部波の大きさに大きな影響を与えないのでこれを敢えて長くする必要はない。また、栄養塩類を表層に持ち上げるのに重要な海水の鉛直混合には内部波の砕波が大きく寄与する。この内部波の砕波には波形勾配や上下層の流速差が大きく影響し、波形勾配を決める内部派の波高を高くするためには人工海底山脈の高さと流れに対する斜面の勾配が急なことが大きく影響するが、流れ方向の奥行きはあまり影響を与えない。また、投影面積が大きいほど反流域も大きくなるので魚礁の効果範囲も増大する。この反流域の内側及び境界近くでは流速が変化し多様な流れ環境が形成される。構造物の背後には流速、流向の異なる多様な流れ場ができ、多様な生物が集まることが知られている。海底面では水平方向の流速が速くなると粒径が小さく軽い粒子は飛ばされ、粒径が大きく重い粒子が海底に残る。逆に流速が小さいと小さく軽い粘土粒子等が堆積する。反流域内及び周辺では流速に応じて底質分布が多様になり、それぞれの底質環境を好むベントス（底棲生物）の生息を促し生物の多様性を促進する。また、海底面と同様に構造物背後にできる反流域内でも立体的に様々な流況域が形成され、複雑な形状の構造物背後には複雑な流れ環境がつくられる。流速が遅いところでは遊泳能力のない魚介類の卵、稚仔、プランクトンや小魚が滞留する。好漁場は海底地形の変化のある海域に形成され、その重要な要因として湧昇流、沈降流、剥離、内部波擾乱が挙げられており、そこでは混合による水温の平均化、栄養塩の湧昇による基礎生産の増大、漂流、懸濁物の集積など、周辺海域と異なった空間が形成されることが知られている。この人工海底山脈ではそのような環境をつくることができ、潮汐流が卓越する海域では往復する様々な方向の流れに対しても効果が期待できる。
【００１４】
また、ブロックを多数積み上げて形成される人工海底山脈では、各ブロック間に生じている多様な間隙は、多くの魚介類に好ましい餌場、生息の場、隠れ場を提供する。この様々な大きさと方向を持つ空隙は海水交換がよく、多様な光環境をつくり多くの付着生物の生息を可能にする。人工海底山脈の表層海域で増殖した植物プランクトンの死骸、蝟集した魚類の糞などがデトリタスとなり沈降し、餌料として供給されるので底層の付着生物やベントスの増殖が期待できる。また、ブロック表面の付着生物や匍匐動物は岩礁性生態系を形成する岩礁性魚介類の餌料となることが知られており、底層魚の増殖が促されることで人工海底山脈の魚礁効果を増大する。そして、以上の効果は流れ方向の投影面積の大きさと密接な関係があるため、前記実施形態の人工海底山脈では顕著な効果を得ることができる。
【００１５】
この人工海底山脈を製造する際には、図示は省略するが、海上にある底開バージ船からブロックを投下する方法が用いられる。すなわち、底開バージ船の船底を開き、船体に固縛したブロックの固縛を解放することで複数のブロックを自由落下させるが、この際に複数個のブロックをロープ又はワイヤでルーズに連結したブロック群を海面から目標位置に投下する。ブロック群を海底に高精度で着床させるために、図２（ａ）のように略立方体のブロック１０に具備された貫通孔１０ａにロープ又はワイヤ１１を通して４個のブロックを環状に連結したブロック群１０Ａとする。あるいは、図２（ｂ）のように３個のブロック１０をロープ又はワイヤ１１で環状に連結したブロック群１０Ａとする。水理実験によると図２（ａ）のように、４個のブロック１０の貫通孔１０ａを水平にしてロープ又はワイヤ１１を通した状態でルーズに連結し、そのままの姿勢で底開バージの船倉上を滑落させ投下すれば、海中を落下する際に各々のブロック１０が互いにルーズに拘束され振れや回転が抑えられ、群としての回転や水平方向の振れもなくほぼ鉛直下方に落下するので海底で散乱幅を飛躍的に減少し目標とする範囲に着床させることができる。
【００１６】
また、ブロック等の物体は落下する際に投影面積の大きい方を下に向ける方が安定するので、貫通孔が水平になるように配置し、貫通孔の無い面を下に向けて落下させる方が安定がよくなる。例えば、ルーズに連結するブロック１０の相互間の対面する面間の平均的な面間距離ｄが略立方体をしたブロック１０の一辺の長さＬの０．１倍から４．０倍となるように連結することが好ましい。すなわち、図２（ａ）に示すように４個のブロック１０を環状に連結する場合にはロープ又はワイヤ１１の長さＸは、Ｘ＝６Ｌ＋４×０．１Ｌ〜６Ｌ＋４×４．０Ｌの計算から６．４倍から２２倍の長さにすることになる。また、図２（ｂ）に示すように３個のブロック１０を連結する場合にはロープ又はワイヤの長さＸは、Ｘ＝５Ｌ＋３×０．１Ｌ〜５Ｌ＋３×４．０Ｌの計算から、ブロックの一辺の長さの５．３倍から１７倍の長さにすればよい。
【００１７】
このように複数のブロック１０をロープ又はワイヤ１１で環状に連結した状態で投下することにより、投下後の各ブロック１０は個別に運動しようとし、連結したロープやワイヤ１１によって互いに影響され投下直後に平均的な距離を保って落下し始める。そのため、個々のブロック１０が海水から受ける圧力が均等なものとなり、ブロック群１０Ａは海水の流れに従って平均的に移動されながら落下され、目標とする範囲に高い精度で着床させることが可能になる。したがって、人工海底山脈を構築するためのブロックを高い精度で積み上げることが可能になり、図１に示したような平面形状が楕円形状をして流れ方向の投影面積が流れに直交する方向の投影面積よりも大きな単一の円錐体をした人工海底山脈１を構築することが可能になる。
【００１８】
また、複数のブロック１０をルーズに連結する方法ではロープやワイヤ１１にかかる力は小さいので、ロープやワイヤ１１に必要とされる強度は小さくてよく。しかもこのロープやワイヤ１１は機能的に落下制御時のみに使うものなので海底に着床した後は残しておく必要はない。したがって、ロープ又はワイヤ１１の素材としては長期間残存しない素材、例えば錆びてもよい鋼製ワイヤや、綿、麻など生分解性の繊維などのロープを使用するのが環境的に望ましい。
【００１９】
ここでの説明では３個又は４個のブロック１０を連結して１つのブロック群１０Ａとする例を示したが、好ましくは４個程度でブロック群を構成することが取扱いには適している。ブロックの数としては３個〜１０個を１群としたり、また、複数のブロック群をさらに連結して同時に投下してもよい。
【００２０】
また、本発明の人工海底山脈を構築する際には、図３に示すように、クレーン台船１００を使用して海上からブロックを吊下ろす方法を採用することもできる。クレーン台船１００にあらかじめ前記のように複数のブロックを連結したブロック群を積載しておき、目標海域にクレーン台船１００を移動し、位置決め後、位置を保持しながらクレーンのフック１０１でブロック群１０Ａを吊上げて投下位置を確認して解放して落下させる。この場合、海底の目標点の直上の所定水深までブロック群１０Ａを吊下ろした上でフック１０１を切り離し投下することもできる。あるいは着床位置を確認できるまで吊下した後、ブロック群１０Ａをフック１０１から切り離すことでより正確に目標点の目標地点にブロックを設置してもよい。
【００２１】
精度を向上させるために、フック１０１で一度に着床させるブロック群１０Ａを吊上げる際に、このブロック群１０Ａの中心付近にガイドワイヤ１０２を通し、ブロック群１０Ａを吊下ろす前にあらかじめ目標点にガイドワイヤ１０２の下端があることを確認し、これをガイドとしてブロック群１０Ａを投下または吊下ろすようにしてもよい。このガイドワイヤ１０２の下端の重錘には超音波発信器や水中テレビを付けることで船上から目標点付近の状況を確認することが可能になる。
【００２２】
なお、図１に示した第１の人工海底山脈１を構築する場合は、人工海底山脈の安定を保つための底面積が必要なので、ブロックをある程度拡散させる必要がある。したがって、落下の初期の人工海底山脈の裾野部分をブロックを積み上げる際には全てのブロックを群として連結して着床範囲を狭める必要はない。人工海底山脈の上部を積み上げる際のようにブロックが自然に落下する場合の散乱幅より狭い範囲に着床させたい場合にのみロープ又はワイヤでブロック群を連結すればよい。
【００２３】
図１に示した第１の人工海底山脈は新たにブロックを投下して構築する例であるが、本発明では既に構築されている円錐体からなる人工海底山脈に適用することも可能である。図4（ａ）〜（ｃ）はそのような第２の人工海底山脈の平面図、正面図、側面図である。ここでは、既設のほぼ真円錐体に近い形状に形成されている人工海底山脈２Ａの上層に円錐体の頂点を通り流れに直交する法線方向に従来より狭い幅でブロック１０を積み増すことにより、平面形状が海水の流れと直交する方向に軸線を有する紡錘部２ａとして積み重ねて人工海底山脈２を構築している。このようにブロック１０を積み増して紡錘部２ａを積み重ねることにより、既に設置されている人工海底山脈２Ａの流れ方向の投影面積Ｓ１を流れと直交する方向の投影面積Ｓ２よりも大きな人工海底山脈２に改築でき、図１に示した第１の人工海底山脈１と同様に湧昇効果を向上すると同時に魚礁効果を高めることができる。また、このように既設の人工海底山脈２Ａの全表面のうち必要な範囲のみにブロック１０を重点的に積み増して紡錘部２ａを形成することで、当該既設の人工海底山脈２Ａの有効利用を図って経済的な効果を得ることもできる。
【００２４】
あるいは、図５（ａ）〜（ｃ）に第３の人工海底山脈３の平面図、正面図、側面図を示すように、既設のほぼ真円錐体に近い形状に形成されている人工海底山脈３Ａの頂点から放射状に延びる壁状をした複数の突条部３ａ，３ｂを構成するようにブロックを積み増すようにしてもよい。この場合、突条部のうち、流れに直交する方向に向けられた突条部３ａは円錐体３Ａの稜線の全長にわたって積み増すが、流れの方向では当該稜線の狭い幅の領域にのみを積み増している。また、他の突条部３ｂは円錐体３Ａの斜面のうち流れに対する正面領域と背面領域において、それぞれ底面で広く頂点に向けて狭まる流路を構成するようにブロックを積み増している。
【００２５】
この第３の人工海底山脈３では、突条部３ａを設けることにより既に設置されている人工海底山脈３Ａの流れ方向の投影面積Ｓ１を流れと直交する方向の投影面積Ｓ２よりも大きな人工海底山脈に改築でき、湧昇効果を向上すると同時に魚礁効果を高めることができる。また、このように改築することで、既設の人工海底山脈３Ａの全表面をブロックで被覆するのではなく、必要な範囲のみにブロック群を重点的に被覆することで、当該既設の人工海底山脈の有効利用を図って経済的な効果を得ることもできる。さらに、この人工海底山脈では、図６に示すように、投影面積に影響を与えない突条部３ｂによって流れに向かう側の斜面上に底面で広く頂点に向けて狭まる流路が形成されるので、潮汐流のような様々な方向の流れに対して低層の流れを狭窄し上方に押し上げることが可能になる。これによって低層のデトリタス（微細な有機物粒子）を人工海底山脈の中層に生息する付着生物や魚類に供給し、同時に多様な流れや光の環境をつくり様々な魚種に摂餌場、隠れ場、産卵場などを提供することが可能になる。
【００２６】
本発明の人工海底山脈は以上説明した構成に限られるものではなく、海水の流れ方向に対する投影面積が流れと直交する方向の投影面積よりも大きい構成であれば本発明が適用できる。また、本発明の人工海底山脈は以上説明した方法以外の方法によって製造されるものであってもよい。
【産業上の利用可能性】
【００２７】
本発明はブロックを積み上げて海底に構築する人工海底山脈であれば適用できる。
【符号の説明】
【００２８】
１  第１の人工海底山脈（円錐体）
２  第２の人工海底山（円錐体）
２ａ  紡錘部
２Ａ  既設の人工海底山脈（円錐体）
３  第３の人工海底山脈（円錐体）
３ａ，３ｂ  突条部
３Ａ  既設の人工海底山脈（円錐体）
１０  ブロック
１０Ａ  ブロック群
１０ａ  貫通孔
１１  ロープ又はワイヤ
１００  クレーン台船
Ｓ１  流れ方向の投影面積
Ｓ２  流れと直交する方向の投影面積
【図１】
2014054186.tif 000003
【図２】
2014054186.tif 000004
【図３】
2014054186.tif 000005
【図４】
2014054186.tif 000006
【図５】
2014054186.tif 000007
【図６】
2014054186.tif 000008
【手続補正書】
【提出日】平成24年11月5日(2012.11.5)
【手続補正１】
【補正対象書類名】明細書
【補正対象項目名】０００８
【補正方法】変更
【補正の内容】
【０００８】
本発明は海底に石材やブロックをほぼ真円錐体に積み上げた既設の人工海底山脈にブロックが積み増しされて海水の流れ方向の投影面積が流れに直交する方向の投影面積より大きくされた人工海底山脈であって、既設の人工海底山脈の頂点と、この頂点を通り海水の流れに直交する方向に延びる稜線に沿った領域で当該既設の人工海底山脈の海水の流れ方向の幅よりも狭い幅の領域にブロックが積み増しされていることを特徴とする。本発明の好ましい形態としては、既設の人工海底山脈の頂点から放射状に延びる壁状をした複数の突条部としてブロックが積み増しされる。さらに、本発明は複数の円錐体を流れに直交する方向に複数連続した構成としてもよい。
【手続補正２】
【補正対象書類名】明細書
【補正対象項目名】０００９
【補正方法】変更
【補正の内容】
【０００９】
本発明の人工海底山脈は、石材やブロックを円錐体に積み重ねて海水の流れ方向の投影面積が流れに直交する方向の投影面積より大きい構成であるので、少ない石材やブロック数で流れ方向の投影面積の大きな人工海底山脈が構築でき、海水の湧昇効果と魚礁効果を高めることができる。そのため、海水の湧昇効果と魚礁効果を高める一方で石材やブロックの積み上げ作業を簡略化できる。特に、本発明の人工海底山脈として、既設の円錐体をした人工海底山脈の頂点を通り海水の流れに直交する方向に延びる稜線に沿った領域で当該既設の人工海底山脈の海水の流れ方向の幅よりも狭い幅の領域にブロックを積み増すことで海水の流れ方向の投影面積が流れに直交する方向の投影面積より大きい人工海底山脈として構築できるので、少ないブロックで構成でき、ブロックの積み上げ作業をさらに簡略化することができる。
【手続補正３】
【補正対象書類名】明細書
【補正対象項目名】００１１
【補正方法】変更
【補正の内容】
【００１１】
次に本発明の実施の形態を図面に基づいて説明する。図１（ａ）〜（ｃ）は本発明の参照例としての第１の人工海底山脈の平面図、正面図、側面図である。この第１の人工海底山脈１は多数のブロックを海上から投下して海底に単一の円錐体として積み上げて形成したものであり、海水の湧昇効果および魚礁効果をより高くするために、海流や潮流のような海水の流れ方向の投影面積Ｓ１が流れに直交する方向の投影面積Ｓ２より大きい略円錐体として形成されている。すなわち、当該人工海底山脈１の平面形状は、図１（ａ）のように海水の流れの方向に短軸を向け、当該流れに直交する方向に長軸を向けた楕円形状、あるいはこれに近い長円形状に形成されている。そのため、この人工海底山脈では、図１（ｂ）の正面図として表される海水の流れ方向の投影面積（流れ方向と直交する方向の断面積）Ｓ１は、図１（ｃ）の側面図として表される流れに直交する方向の投影面積（流れ方向に沿った方向の断面積）Ｓ２よりも大きくされている。
【手続補正４】
【補正対象書類名】特許請求の範囲
【補正対象項目名】全文
【補正方法】変更
【補正の内容】
【特許請求の範囲】
【請求項１】
海底に石材やブロックをほぼ真円錐体に積み上げた既設の人工海底山脈にブロックが積み増しされて海水の流れ方向の投影面積が流れに直交する方向の投影面積より大きくされた人工海底山脈であって、前記既設の人工海底山脈の頂点と、この頂点を通り海水の流れに直交する方向に延びる稜線に沿った領域で当該既設の人工海底山脈の海水の流れ方向の幅よりも狭い幅の領域に前記ブロックが積み増しされていることを特徴とする人工海底山脈。
【請求項２】
前記既設の人工海底山脈の頂点から放射状に延びる壁状をした複数の突条部としてブロックが積み増しされていることを特徴とする請求項１に記載の人工海底山脈。
【請求項３】
請求項１または２に記載の人工海底山脈が海水の流れに直交する方向に複数連続して直線配置されていることを特徴とする人工海底山脈。